(57)【要約】【課題】着用者が首周りに感じるウインタースポーツ用ウエアの重量を軽減できるウインタースポーツ用ウエアを提供する。【解決手段】本発明は、表地および裏地４４を含む衿、ならびに表地および裏地を含み、衿と衿ぐり３６，３８で接合し、前身頃および後身頃を含む身頃を備えるウンタースポーツ用ウエア１にあって、衿の裏地４４と後身頃の裏地３４の衿ぐり３８とが離間しており、ウンタースポーツ用ウエア１は、衿の裏地４４と後身頃の裏地３４の衿ぐり３８との間の離間部分を補完する離間部補完裏地４６をさらに備え、後身頃の表地の衿ぐりの位置３６が、離間部補完裏地４６が設けられている領域内に存在する。【選択図】図３
2014156672.tif 000002
【特許請求の範囲】
【請求項１】
表地および裏地を含む衿、ならびに表地および裏地を含み、前記衿と衿ぐりで接合し、前身頃および後身頃を含む身頃を備えるウンタースポーツ用ウエアにあって、
前記衿の裏地と前記後身頃の裏地の衿ぐりとが離間しており、
前記ウンタースポーツ用ウエアは、前記衿の裏地と前記後身頃の裏地の衿ぐりとの間の離間部分を補完する離間部補完裏地をさらに備え、
前記後身頃の表地の衿ぐりの位置が、前記離間部補完裏地が設けられている領域内に存在する、ウンタースポーツ用ウエア。
【請求項２】
前記離間部補完裏地は、略笹の葉の形状を有する、請求項１に記載のウインタースポーツ用ウエア。
【請求項３】
前記離間部補完裏地は、メッシュ素材で構成される、請求項１または２に記載のウインタースポーツ用ウエア。
【請求項４】
前記衿の裏地と前記前身頃の裏地の衿ぐりの肩線近傍の部分とが離間し、
前記離間部補完裏地は、前記衿の裏地と前記前身頃の裏地の衿ぐりの肩線近傍の部分とが離間している部分を補完し、
前記前身頃の表地の衿ぐりの肩線近傍の部分位置が、前記離間部補完裏地が設けられている領域内に存在する、請求項１〜３に記載のウインタースポーツ用ウエア。
【発明の詳細な説明】
【技術分野】
【０００１】
本発明は、スキー、スノーボード、スケートなどのウインタースポーツ用ウエアに関し、とくにスキーおよびスノーボードのウエアに関する。
【背景技術】
【０００２】
スキー、スノーボードなどのウインタースポーツを行うときに着用するウインタースポーツ用ウエアが従来技術として知られている（たとえば、特許文献１〜５）。
【先行技術文献】
【特許文献】
【０００３】
【特許文献１】特開平７−２１６６０４号公報
【特許文献２】特開平７−２１６６１４号公報
【特許文献３】特開２００７−１０７１７６号公報
【特許文献４】実用新案登録第３０７１１９３号公報
【特許文献５】実用新案登録第３０６９９６５号公報
【発明の概要】
【発明が解決しようとする課題】
【０００４】
競技者のウインタースポーツの実施をできるだけ妨げないようにするために、ウインタースポーツ用ウエアの軽量化が図られている。しかし、軽量化が図られたウインタースポーツ用ウエアでさえ、着用者は、とくに首周りにおいて、ウインタースポーツ用ウエアの重量を強く感じる場合がある。
【０００５】
そこで、本発明は、着用者が首周りに感じるウインタースポーツ用ウエアの重量を軽減できるウインタースポーツ用ウエアを提供することを目的とする。
【課題を解決するための手段】
【０００６】
本発明は、上記課題を解決するため、以下の構成を採用した。
すなわち、本発明は、表地および裏地を含む衿、ならびに表地および裏地を含み、衿と衿ぐりで接合し、前身頃および後身頃を含む身頃を備えるウンタースポーツ用ウエアにあって、衿の裏地と後身頃の裏地の衿ぐりとが離間しており、ウンタースポーツ用ウエアは、衿の裏地と後身頃の裏地の衿ぐりとの間の離間部分を補完する離間部補完裏地をさらに備え、後身頃の表地の衿ぐりの位置が、離間部補完裏地が設けられている領域内に存在する。
【発明の効果】
【０００７】
本発明によれば、着用者が首周りに感じるウインタースポーツ用ウエアの重量を軽減できる。
【図面の簡単な説明】
【０００８】
【図１】図１は、本発明の一実施形態におけるスノーボード用ウエアの正面図である。
【図２】図２は、本発明の一実施形態におけるスノーボード用ウエアの一部を切り欠いて衿を示した本発明の一実施形態におけるスノーボード用ウエアの背面図である。
【図３】図３は、本発明の一実施形態におけるスノーボード用ウエアの見返しを開いた状態の正面図である。
【図４】図４は、本発明の一実施形態におけるスノーボード用ウエアの首周りの部分を展開した分解図である。
【図５】衣服圧センサを設けたボディ・トルソーの斜視図である。
【図６】ボディ・トルソーにおける衣服圧センサを設けた位置を説明するための図である。
【発明を実施するための形態】
【０００９】
本発明者は、鋭意検討した結果、着用者は、とくに首周りにおいて、ウインタースポーツ用ウエアの重さを強く感じる原因は、後身頃の表地の衿ぐりの位置と後身頃の裏地の衿ぐりの位置とが一致することにあることを見出し、本発明を想到した。本発明を限定するものではないが、本発明者は、その理由を以下のように考えている。衿ぐりは、身頃が衿と接合する接合する部分であり、この接合部分は、身頃および衿の生地の部分に比べて伸縮性が低い。このため、ウインタースポーツ用ウエアの重量に起因する応力が衿ぐりに集中する。さらに後身頃の表地の衿ぐりの位置と後身頃の裏地の衿ぐりの位置とが一致することで、ウインタースポーツ用ウエアの重量に起因する応力が首周りの特定の部分にさらに集中することになる。このため、後身頃の表地の衿ぐりの位置と後身頃の裏地の衿ぐりの位置とが一致することで、着用者は、とくに首周りにおいて、ウインタースポーツ用ウエアの重量を強く感じる。
【００１０】
以下、図１〜図４を参照して本発明の一実施形態におけるスノーボード用ウエアを説明する。スノーボード用ウエアとは、スノーボード競技を実施するときに着用するウエアである。図１はスノーボード用ウエア１の正面図である。図２はスノーボード用ウエア１の一部を切り欠いて衿４０を示したスノーボード用ウエア１の背面図である。図２では、後身頃３０、フード６０および衿４０の表地４２の一部をそれぞれ切り欠いている。図３はスノーボード用ウエア１の見返しを開いた状態の正面図である。図４はスノーボード用ウエア１の首周りの部分を展開した分解図である。
【００１１】
スノーボード用ウエア１は、表地４２および裏地４４を含む衿４０、ならびに表地２２，３２および裏地２４，３４を含み、衿４０と衿ぐり２６，２８で接合し、前身頃２０および後身頃３０を含む身頃１０を備える。なお、本明細書において、身頃１０の肩線１２（図４参照）から前の部分が前身頃２０であり、肩線１２（図４参照）から後ろの部分が後身頃３０である。また、本明細書において身頃１０の首付根位置が衿ぐり２６，２８，３６，３８である。スノーボード用ウエア１に衿４０を設けることによって、着用者の首の部分から雪や風などがスノーボード用ウエア１内に侵入することを軽減できる。
【００１２】
身頃１０の袖ぐり１４には、着用者の腕を寒さなどから保護するために着用者の腕を覆う袖７０が取り付けられている。また、スノーボード用ウエア１は、着用者の頭部を保護するために着用者の頭部を覆うフード６０をさらに備えてもよい。
【００１３】
身頃１０の表地２２，３２には、たとえば、ナイロン、ポリエステルなどの、比較的軽く、引っ張り強度および摩擦強度が高い合成繊維を用いた生地が用いられる。また、表地２２，３２の表面を撥水加工してもよい。身頃１０の裏地２４，３４には、たとえば、ポリエステル、ナイロンおよびポリウレタンなどから作製された起毛トリコットなどの防寒性の高い生地、ポリエステルおよびナイロンなどから作製された高密度タフタなどの撥水性、防風性および透湿性の高い生地、ならびに起毛トリコットおよび高密度タフタの複合生地などが用いられる。身頃１０の防寒性をさらに高めるために、ポリエステル製の中綿などの保温性の高い充填材を表地２２，３２と裏地２４，３４との間に設けてもよい。
【００１４】
衿４０の表地４２には、身頃１０の表地２２，３２と同じ生地を用いてもよい。また、衿４０の裏地４４には、身頃１０の裏地２４，３４と同じ生地を用いてもよい。
【００１５】
図１に示すように、前身頃２０において、衿４０と衿ぐり２６とは直接接合している。また、図２および図３に示すように、後身頃３０において、衿４０の表地４２と後身頃３０の表地３２の衿ぐり３６とは直接接合している。しかし、図２および図３に示すように、衿４０の裏地４４と後身頃３０の裏地３４の衿ぐり３８とは離間している。そして、その離間部分を補完するために、離間部補完裏地４６が設けられている。図３に示すように、後身頃３０の表地３２の衿ぐり３６の位置は、この離間部補完裏地４６が設けられている領域内に存在する。これにより、後身頃３０の表地３２の衿ぐり３６の位置と後身頃３０の裏地３４の衿ぐり３８の位置とが一致しなくなる。そして、スノーボード用ウエア１の重量に起因し、着用者の首周りに働く応力が衿ぐり３６，３８周辺において分散され、着用者が首周りに感じるスノーボード用ウエア１の重量を軽減できる。
【００１６】
また、後身頃３０の表地３２の衿ぐり３６の位置と後身頃３０の裏地３４の衿ぐり３８の位置とが一致しないようにするために必要な、後身頃および衿の設計が容易になる。すなわち、衿４０の裏地４４と後身頃３０の裏地３４の衿ぐり３８とが離間させる部分以外は、後身頃の表地の衿ぐりの位置と後身頃の裏地の衿ぐりの位置とが一致する場合のスノーボード用ウエアの設計をそのまま適用できる。一方、衿の裏地と後身頃の裏地の衿ぐりとを離間させないで後身頃の表地の衿ぐりの位置と後身頃の裏地の衿ぐりの位置を一致させないようにする場合は、良好な着心地を確保するために身頃および衿の様々な部分の寸法の調整が必要になる。このため、後身頃３０の表地３２の衿ぐり３６の位置と後身頃３０の裏地３４の衿ぐり３８の位置とが一致しないようにするために必要な身頃および衿の設計が難しくなる。
【００１７】
衿４０の裏地４４と、前身頃２０の裏地２４の衿ぐり２８の肩線１２近傍の部分とがさらに離間してもよい。そして、離間部補完裏地４６が、その離間している部分を補完し、前身頃２０の表地２２の衿ぐり２６の肩線１２近傍の部分位置が、離間部補完裏地４６が設けられている領域内に存在するようにしてもよい。これにより、肩線１２近傍においても、前身頃２０の表地２２の衿ぐり２６の位置と前身頃２０の裏地２４の衿ぐり２８の位置とが一致しなくなる。そして、スノーボード用ウエア１の重量に起因し、着用者の首周りに働く応力が、肩線１２近傍においてさらに分散され、着用者が首周りに感じるスノーボード用ウエア１の重量をさらに大きく軽減できる。この場合、離間部補完裏地４６の衿周り方向の端４８（図３参照）は、肩線１２よりも前側になる。
【００１８】
離間部補完裏地４６は、略笹の葉の形状を有することが好ましい。これにより、離間部補完裏地４６を設けたときに衿ぐり近傍に生じる違和感を減少させることができる。また、後身頃３０の表地３２の衿ぐり３６の形状と後身頃３０の裏地３４の衿ぐり３８の形状とを大きく変える必要がなくなるので、後身頃３０の表地３２の衿ぐり３６の位置と後身頃３０の裏地３４の衿ぐり３８の位置とが一致しないようにするために必要な後身頃および衿の設計をさらに容易にすることができる。
【００１９】
離間部補完裏地４６は、メッシュ素材で構成されることが好ましい。これにより、着用者の首に離間部補完裏地４６が纏わることを抑制できる。
【００２０】
図４に示すように、たとえば、次のようにして衿４０を前身頃２０および後身頃３０に取り付けることができる。図４の実線で示したパーツは、パーツの裏地を示し、点線で示したパーツはパーツの表地を示す。図４に示すように衿の裏地４４には離間部補完裏地４６が縫合される（矢印５２）。そして、衿の裏地４４および離間部補完裏地４６が前身頃２０および後身頃３０の裏地２４，３４の衿ぐり２８，３８に縫合される（矢印５４）。一方、衿の表地４２は、前身頃２０および後身頃３０の表地２２，３２の衿ぐり２６，３６に直接縫合される（矢印５６）。そして、表地３２，４２と裏地３４，４４，４６とを縫合する。
【００２１】
以上の本発明の一実施形態によるスノーボード用ウエア１は、次のような作用効果を奏する。
（１）表地４２および裏地４４を含む衿４０、ならびに表地２２，３２および裏地２４，３４を含み、衿４０と衿ぐり２６，２８で接合し、前身頃２０および後身頃３０を含む身頃１０を備えるスノーボード用ウエア１にあって、衿４０の裏地４４と後身頃３０の裏地３４の衿ぐり３８とが離間しており、スノーボード用ウエア１は、衿４０の裏地４４と後身頃３０の裏地３４の衿ぐり３８との間の離間部分を補完する離間部補完裏地４６をさらに備え、後身頃３０の表地３２の衿ぐり３６の位置が、離間部補完裏地４６が設けられている領域内に存在するようにした。これにより、着用者が首周りに感じるスノーボード用ウエア１の重量を軽減できる。
【００２２】
（２）離間部補完裏地４６は、略笹の葉の形状を有するようにした。これにより、離間部補完裏地４６を設けたときに衿ぐり近傍に生じる違和感を減少させることができる。また、後身頃３０の表地３２の衿ぐり３６の位置と後身頃３０の裏地３４の衿ぐり３８の位置とが一致しないようにするために必要な身頃および衿の設計が容易になる。
【００２３】
（３）離間部補完裏地４６は、メッシュ素材で構成されるようにした。これにより、着用者の首に離間部補完裏地４６が纏わることを抑制できる。
【００２４】
（４）衿４０の裏地４４と前身頃２０の裏地２４の衿ぐり２８の肩線１２近傍の部分とが離間し、離間部補完裏地４６は、衿４０の裏地４４と前身頃２０の裏地２４の衿ぐり２８の肩線１２近傍の部分とが離間している部分を補完し、前身頃２０の表地２２の衿ぐり２６の肩線１２近傍の部分位置が、離間部補完裏地４６が設けられている領域内に存在するようにした。これにより、着用者が首周りに感じるスノーボード用ウエア１の重量をさらに軽減できる。
【００２５】
本発明は、スキー、スノーボード、スケートなどのウインタースポーツ用ウエアであればスノーボード用ウエア１に限定されない。しかし、本発明は、とくにスキーおよびスノーボードのウエアに好適である。
【００２６】
以上の説明はあくまで一例であり、本発明は上記実施形態の構成になんら限定されるものではない。
【実施例】
【００２７】
本発明により、着用者が首周りに感じるウインタースポーツ用ウエアの重量を軽減できることを確認するために以下の試験を行った。
【００２８】
（１）試料
市販されている、表地の衿ぐりの位置と裏地の衿ぐりの位置とが一致しているスノーボード用ウエアを比較例１とした。また、上記スノーボード用ウエアを作製するとき、表地の衿ぐりの位置と裏地の衿ぐりの位置とが一致しないようにするため、図４に示すように、衿の裏地および後身頃の裏地を設計変更して離間部補完裏地を設けたスノーボード用ウエアを作製し、このように作製したスノーボード用ウエアを実施例１とした。
【００２９】
（２）試験方法
図５に示すような、上衣の展示などに使用するボディ・トルソー１００に複数の衣服圧センサ８０を取り付けた。そして、このボディ・トルソー１００に実施例１および比較例１を着用させ、衣服圧センサ８０によってボディ・トルソー１００に印加する、実施例１および比較例１の衣服圧を測定した。衣服圧を測定する装置には、連続接触圧測定器（AMI3037、ニッシン産業株式会社製）を用いた。衣服圧センサ８０には、この測定器付属の直径２０ｍｍのエアパックを使用した。エアパックの厚さが約０．５ｍｍになるようにエアパックに空気を約０．１５ｍｌ封入して衣服圧を測定した。実施例１および比較例１について、それぞれ５回の衣服圧の測定を実施し、５回の測定の平均値を、実施例１および比較例１の衣服圧とした。なお、図５の符号１０６は、ボディ・トルソー１００の首の付け根を示す。
【００３０】
図６を参照して、衣服圧センサ８０Ａ〜８０Ｋの取り付け位置を詳細に説明する。図６の矢印のＦ側がボディ・トルソー１００の腹側であり、図６の矢印のＢ側がボディ・トルソー１００の背側である。また、図６の矢印のＲ側がボディ・トルソー１００の右側であり、図６の矢印のＬ側がボディ・トルソー１００の左側である。符号１０２の点線は、ボディ・トルソー１００の肩線を示し、符号１０４の点線は、ボディ・トルソー１００の左右の中心線を示す。
【００３１】
１１個の衣服圧センサ８０Ａ〜８０Ｋをボディ・トルソー１００に取り付けた。１１個の衣服圧センサ８０Ａ〜８０Ｋのうち、８個の衣服圧センサ８０Ａ〜８０Ｈは、ボディ・トルソー１００の首の付け根１０６に沿って取り付けた。また、１１個の衣服圧センサ８０Ａ〜８０Ｋのうち、３個の衣服圧センサ８０Ａ〜８０Ｈは、ボディ・トルソー１００の左側の肩線１０２に沿って取り付けた。
【００３２】
ボディ・トルソー１００の首の付け根１０６に沿って取り付けた衣服圧センサ８０Ａ〜８０Ｋで衣服圧を測定するとき、ボディ・トルソー１００に腕を取り付けなかった。これは、ボディ・トルソー１００に腕を取り付けると、その腕により実施例１および比較例１の腕が引っ張られ、ボディ・トルソー１００の首の付け根１０６に印加される衣服圧を正確に測定できないためである。また、ボディ・トルソー１００の左側の肩線１０２に沿って取り付けた３個の衣服圧センサ８０Ａ〜８０Ｈで衣服圧を測定するとき、ボディ・トルソー１００に不図示の腕を取り付けた。これは、ボディ・トルソー１００に不図示の腕を取り付けないと、ボディ・トルソー１００の袖刳１０８に実施例１および比較例１の重量による応力が集中し、ボディ・トルソー１００の袖刳１０８近傍でボディ・トルソー１００に印加される衣服圧を正確に測定できないためである。
【００３３】
番号「１」の衣服圧センサ８０Ａは、ボディ・トルソー１００の背側において、中心線１０４に対して２．５ｃｍ右側に取り付けた。番号「２」の衣服圧センサ８０Ｂは、ボディ・トルソー１００の背側において、中心線１０４に対して２．５ｃｍ左側に取り付けた。番号「３」の衣服圧センサ８０Ｃは、番号「２」の衣服圧センサ８０Ｂに対して、ボディ・トルソー１００の首の付け根１０６に沿って２．５ｃｍ腹側に取り付けた。番号「４」の衣服圧センサ８０Ｄは、番号「３」の衣服圧センサ８０Ｃに対して、ボディ・トルソー１００の首の付け根１０６に沿って２．５ｃｍ腹側に取り付けた。
【００３４】
番号「５」の衣服圧センサ８０Ｅは、ボディ・トルソー１００の左側の肩線１０２上に取り付けた。番号「６」の衣服圧センサ８０Ｆは、ボディ・トルソー１００の左側の肩線１０２に対して３ｃｍ腹側に取り付けた。番号「７」の衣服圧センサ８０Ｇは、番号「６」の衣服圧センサ８０Ｆに対して、ボディ・トルソー１００の首の付け根１０６に沿って２．５ｃｍ腹側に取り付けた。番号「８」の衣服圧センサ８０Ｈは、番号「７」の衣服圧センサ８０Ｇに対して、ボディ・トルソー１００の首の付け根１０６に沿って３ｃｍ腹側に取り付けた。
【００３５】
番号「９」の衣服圧センサ８０Ｉは、ボディ・トルソー１００の左側の肩線１０２上で、袖刳１０８に対して１．５ｃｍ右側に取り付けた。番号「１０」の衣服圧センサ８０Ｊは、ボディ・トルソー１００の左側の肩線１０２上で、番号「９」の衣服圧センサ８０Ｉに対して２．５ｃｍ右側に取り付けた。番号「１１」の衣服圧センサ８０Ｋは、ボディ・トルソー１００の左側の肩線１０２上で、番号「１０」の衣服圧センサ８０Ｊに対して２ｃｍ右側に取り付けた。
【００３６】
（３）結果
結果を表１に示す。
【表１】
2014156672.tif 000003
【００３７】
表１から、符号４〜６の衣服圧センサ８０Ｄ〜８０Ｆについて、実施例１の衣服圧は、比較例１の衣服圧に比べて著しく小さいことがわかった。これより、本発明は、とくに首周りの肩線近傍の部分において、さらに肩線に対して背側の部分において、着用者が感じるウインタースポーツ用ウエアの重量を軽減できることがわかった。また、首周りにおいて、衣服圧がとくに高くなる部分は肩線近傍における肩線に対して背側の部分であり、この衣服圧がとくに高くなる部分において、本発明の効果が高いことがわかった。これにより、本発明は、着用者が感じるウインタースポーツ用ウエアの重量を効果的に軽減できることがわかった。
【符号の説明】
【００３８】
１    スノーボード用ウエア
１０    身頃
１２，１０２    肩線
２０    前身頃
２２，３２，４２    表地
２４，３４，４４    裏地
２６，２８，３６，３８    衿ぐり
３０    後身頃
４０    衿
４６    離間部補完裏地
６０    フード
７０    袖
８０、８０Ａ〜８０Ｋ    衣服圧センサ
１００    ボディ・トルソー
【図１】
2014156672.tif 000004
【図２】
2014156672.tif 000005
【図３】
2014156672.tif 000006
【図４】
2014156672.tif 000007
【図５】
2014156672.tif 000008
【図６】
2014156672.tif 000009